【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
撮像素子を含み、画像データを繰り返し出力する撮像手段と、
上記撮像手段から出力された画像データに対して間引き処理を行い、その画像データに基づいて全画面ライブビュー表示を行う第１のライブビュー表示状態と、上記撮像手段から出力された画像データの一部領域を切り出し、その切り出した画像データに対して上記間引き処理を行うことなく、若しくは、上記第１のライブビュー表示状態における上記間引き処理よりも間引き度合いが少ない間引き処理を行ってから拡大処理を行い、その画像データに基づいて拡大ライブビュー表示を行う第２のライブビュー表示状態とを有するライブビュー表示手段と、
上記全画面ライブビュー表示を行うための画像データに基づいて、コントラストが最大となるように撮影レンズを駆動して予備的に自動焦点調節を行い、続いて、上記拡大処理を行った画像データに基づいて自動焦点調節を行うコントラストＡＦ手段と、
を具備することを特徴とする撮像装置。
【請求項２】
上記拡大処理は、選択もしくは設定された検出ポイントに基づいて行うことを特徴とする請求項１に記載の撮像装置。
【請求項３】
撮像素子を含み、画像データを繰り返し出力する撮像手段と、
上記撮像手段から出力された画像データに対して間引き処理を行い、その画像データに基づいてコントラストが最大となるように撮影レンズを駆動する第１のコントラストＡＦ手段と、
上記撮像手段から出力された画像データに対して上記間引き処理を行うことなく、若しくは、上記第１のコントラストＡＦ手段における上記間引き処理よりも間引き度合の少ない間引き処理を行い、この画像データの中から切り出し処理を行って生成した画像データに基づいてコントラストが最大となるように撮影レンズを駆動する第２のコントラストＡＦ手段と、
を具備し、上記第２のコントラストＡＦ手段での撮影レンズの駆動は、第１のコントラストＡＦ手段によって駆動された駆動レンズ位置に基づいて実行することを特徴とする撮像装置。
【請求項４】
上記間引き処理された画像データに基づいて全画面ライブビュー表示を行うための画像データを生成する第１表示画像生成手段と、
上記撮像手段から出力された画像データの一部領域を切り出し、その切り出した画像データに対して上記間引き処理を行うことなく、若しくは、上記間引き処理よりも間引き度合いが少ない間引き処理を行い、その画像データに基づいて拡大ライブビュー表示を行うための画像データを生成する第２表示画像生成手段と、
を具備することを特徴とする請求項３に記載の撮像装置。
【請求項５】
上記切り出し処理は、選択されたＡＦポイントに基づくエリアについて行うことを特徴とする請求項３に記載の撮像装置。
【請求項６】
上記切り出し処理は、人物の顔が存在したエリアについて行うことを特徴とする請求項３に記載の撮像装置。
【請求項７】
上記切り出し処理は、上記第１のコントラストＡＦ手段によって合焦したエリアについて行うことを特徴とする請求項３に記載の撮像装置。
【請求項８】
撮像手段から被写体像に基づく画像データを繰り返し出力し、
上記画像データに対して間引き処理を行い、その画像データに基づいてコントラストが最大となるように撮影レンズを駆動し、
上記撮像手段から出力された画像データに対して上記間引き処理を行うことなく、若しくは、上記間引き処理よりも間引き度合の少ない間引き処理を行い、この画像データの中から切り出し処理を行って生成した画像データに基づいてコントラストが最大となるように撮影レンズを駆動する、
ことを特徴とする撮像装置の制御方法。
【手続補正２】
【補正対象書類名】明細書
【補正対象項目名】０００７
【補正方法】変更
【補正の内容】
【０００７】
上記目的を達成するため第１の発明に係わる撮像装置は、撮像素子を含み、画像データを繰り返し出力する撮像手段と、上記撮像手段から出力された画像データに対して間引き処理を行い、その画像データに基づいて全画面ライブビュー表示を行う第１のライブビュー表示状態と、上記撮像手段から出力された画像データの一部領域を切り出し、その切り出した画像データに対して上記間引き処理を行うことなく、若しくは、上記第１のライブビュー表示状態における上記間引き処理よりも間引き度合いが少ない間引き処理を行ってから拡大処理を行い、その画像データに基づいて拡大ライブビュー表示を行う第２のライブビュー表示状態を有するライブビュー表示手段と、上記全画面ライブビュー表示を行うための画像データに基づいて、コントラストが最大となるように撮影レンズを駆動して予備的に自動焦点調節を行い、続いて、上記拡大処理を行った画像データに基づいて自動焦点調節を行うコントラストＡＦ手段と、を具備する。
【手続補正３】
【補正対象書類名】明細書
【補正対象項目名】０００８
【補正方法】変更
【補正の内容】
【０００８】
第２の発明に係わる撮像装置は、上記第１の発明において、上記拡大処理は、選択もしくは設定された検出ポイントに基づいて行う。
【手続補正４】
【補正対象書類名】明細書
【補正対象項目名】０００９
【補正方法】変更
【補正の内容】
【０００９】
第３の発明に係わる撮像装置は、撮像素子を含み、画像データを繰り返し出力する撮像手段と、上記撮像手段から出力された画像データに対して間引き処理を行い、その画像データに基づいてコントラストが最大となるように撮影レンズを駆動する第１のコントラストＡＦ手段と、上記撮像手段から出力された画像データに対して上記間引き処理を行うことなく、若しくは、上記第１のコントラストＡＦ手段における上記間引き処理よりも間引き度合の少ない間引き処理を行い、この画像データの中から切り出し処理を行って生成した画像データに基づいてコントラストが最大となるように撮影レンズを駆動する第２のコントラストＡＦ手段と、を具備し、上記第２のコントラストＡＦ手段での撮影レンズの駆動は、第１のコントラストＡＦ手段によって駆動された駆動レンズ位置に基づいて実行する。
【手続補正５】
【補正対象書類名】明細書
【補正対象項目名】００１０
【補正方法】変更
【補正の内容】
【００１０】
第４の発明に係わる撮像装置は、上記第３の発明において、上記間引き処理された画像データに基づいて全画面ライブビュー表示を行うための画像データを生成する第１表示画像生成手段と、上記撮像手段から出力された画像データの一部領域を切り出し、その切り出した画像データに対して上記間引き処理を行うことなく、若しくは、上記間引き処理よりも間引き度合いが少ない間引き処理を行い、その画像データに基づいて拡大ライブビュー表示を行うための画像データを生成する第２表示画像生成手段と、を具備する。
【手続補正６】
【補正対象書類名】明細書
【補正対象項目名】００１１
【補正方法】変更
【補正の内容】
【００１１】
第５の発明に係わる撮像装置は、上記第３の発明において、上記切り出し処理は、選択されたＡＦポイントに基づくエリアについて行う。
第６の発明に係わる撮像装置は、上記第３の発明において、上記切り出し処理は、人物の顔が存在したエリアについて行う。
第７の発明に係わる撮像装置は、上記第３の発明において、上記切り出し処理は、上記第１のコントラストＡＦ手段によって合焦したエリアについて行う。
【手続補正７】
【補正対象書類名】明細書
【補正対象項目名】００１２
【補正方法】変更
【補正の内容】
【００１２】
第８の発明に係わる撮像装置の制御方法は、撮像手段から被写体像に基づく画像データを繰り返し出力し、上記画像データに対して間引き処理を行い、その画像データに基づいてコントラストが最大となるように撮影レンズを駆動し、上記撮像手段から出力された画像データに対して上記間引き処理を行うことなく、若しくは、上記間引き処理よりも間引き度合の少ない間引き処理を行い、この画像データの中から切り出し処理を行って生成した画像データに基づいてコントラストが最大となるように撮影レンズを駆動する。